(57)【要約】【課題】室内機のエアフィルターの掃除を自動的に行うオートクリーニングシステムを有する空気調和機において、空気調和機としての機能停止期間中に動作することが基本となる。従って、動作回数を多くすると基本機能を損なうことになるが、動作回数が少ないとほこりの多い場合にはクリーニングシステムで排除できる量を超える可能性があり、特に空気中に水分や粘着性のガスが多く含まれる場合それらの物質によりフィルターに付着したほこりが固化しオートクリーニングシステムにより排除不可能になるばかりか成長したほこりの落下によりシステムの機構部分へ弊害をもたらす可能性がでてくる。【解決手段】主に一酸化炭素濃度を検出するガスセンサ６を有し、検出した一酸化炭素の累積量により空調動作中であってもオートクリーニングシステムを動作させる構成としたものである。【選択図】図２
2006336881.tif 000002
【特許請求の範囲】
【請求項１】
室内機のエアフィルターの掃除を自動的に行うオートクリーニングシステムを有する空気調和機において、主に一酸化炭素濃度を検出するガスセンサを有し、検出した一酸化炭素の累積量により空調動作中であってもオートクリーニングシステムを動作させることを特徴とした空気調和機。
【請求項２】
一酸化炭素の累積量により動作するオートクリーニングシステムにおいて、サーモＯＦＦなど空気調和機停止が確立した条件でのみ動作することとし、一回のシステムの動作範囲はフィルター全体の一部とするとともに、動作毎にクリーニング位置を変更していくことを特徴とした請求項１記載の空気調和機。
【請求項３】
全面のクリーニング動作終了時点で一酸化炭素量の累積をゼロとすることを特徴とする請求項１または請求項２記載の空気調和機。
【発明の詳細な説明】
【技術分野】
【０００１】
本発明は、室内機のエアフィルターを自動的に掃除を行うオートクリーニングシステムを有する空気調和機に関するものである。
【背景技術】
【０００２】
従来のオートクリーニング機能を有する空気調和機においてその動作は空気調和機としての機能を損なわないために運転を行う前または、終了時といった条件でのみ実行されていた。また、ガスセンサ等部屋の汚れを検知するセンサにおいては、検知結果に基づき空気清浄装置や換気装置を動作させるといった部屋の汚れを排除するための情報取得手段として利用されてきた。
【０００３】
図６を用いて、ほこりを吸引するノズル部がエアフィルター全面を移動しエアフィルターを清掃する従来のオートクリーニングシステムについて説明する。
【０００４】
図６において、ノズル部３は空気調和機の右端から左端、また左端から右端へ移動しながらエアフィルター部１に付着したほこりを吸い取る動作を行う。また、ノズル部１により吸引したほこりは排出ホース部を経由して部屋の外へ排出される。さらに横一段目のクリーニング終了後はノズル部３を二段目（上方向）に移動し、さらに左右動作に移行する。また最上段まで達した後は下方向へ１段下がり左右動作に移行する。以上の繰り返し動作によりエアフィルター部１全面のクリーニングを行う。
【０００５】
また表示装置５は空気調和機としての運転状態を表現するための表示装置であり、ＬＥＤなど発光素子を用いて色や発光個所、数により運転状況を使用者に知らしめるものである。
【特許文献１】特開２００２−３４０３９５号公報
【特許文献２】特開２００３−５６８７８号公報
【発明の開示】
【発明が解決しようとする課題】
【０００６】
特許文献１記載の構成は、空気調和機に設けられたエアフィルターを自動的に清掃するシステムが記載されている。
【０００７】
特許文献２記載の構成では室内環境をセンサにて検知することによりマイナスイオン量を推定し、マイナスイオンの発生量を制御することが可能な空気清浄機の構成について説明している。
【０００８】
前者のようなエアフィルターをクリーニングするシステムは基本的に自動的にフィルターのクリーニングを実行するシステムであり空気調和機の始動直前または停止直後にその機能を発揮するシステムである。従って、オートクリーニングシステムの動作は空気調和機の使用者が空気調和機本来の動作を期待してリモコン等で運転指示を行った直後または空気調和機の機能停止を実行するためにリモコン等で停止させた後、熱交換や空気清浄機能による空気の循環によって空気調和機内に設けられたフィルター部に付着したほこりを吸い取ることになる。つまり空気調和機としての機能停止期間中に動作することが基本となる。ここで、動作回数を多くすると空気調和機の基本機能を損なうことになるが、動作回数が少ないとほこりの多い場合にはクリーニングシステムで排除できる量を超える可能性があり、特に空気中に粘着性のガスが多く含まれる場合それらの物質によりフィルターに付着したほこりが固化しオートクリーニングシステムにより排除不可能になるばかりか
成長したほこりの落下によりシステムの機構部分へ弊害をもたらす可能性がでてくる。
【０００９】
本発明は上記従来の課題を解決するもので、空気調和機の運転中にも、基本機能を損なわない程度に必要最小限のフィルタークリーニングを行い、ほこりの固化や落下による弊害を阻止することを目的とする。
【課題を解決するための手段】
【００１０】
前記従来の課題を解決するため、本発明の空気調和機は室内機のエアフィルターの掃除を自動的に行うオートクリーニングシステムを有する空気調和機において、主に一酸化炭素濃度を検出するガスセンサを有し、検出した一酸化炭素の累積量により空調動作中であってもオートクリーニングシステムを動作させる構成としたものである。
【発明の効果】
【００１１】
本発明の空気調和機は、エアフィルターに付着したほこりの固化によりオートクリーニングシステムの機構に不具合を発生することを未然に回避することができる。
【００１２】
また、動作条件を特定することにより、空気調和の基本性能を損なうことなくフィルタークリーニングを行うことができる。
【００１３】
また、一酸化炭素累積量をリセットするフローとしたことで、過度なクリーニング動作を回避することができる。
【発明を実施するための最良の形態】
【００１４】
第１の発明は、室内機のエアフィルターの掃除を自動的に行うオートクリーニングシステムを有する空気調和機において、主に一酸化炭素濃度を検出するガスセンサを有し、検出した一酸化炭素の累積量により空調動作中であってもオートクリーニングシステムを動作させることによりほこりの固化などフィルターの汚れすぎによるオートクリーニング機構動作不具合を回避することができる。
【００１５】
第２の発明は、一酸化炭素量の累積結果動作するオートクリーニングはサーモＯＦＦなど空気調和機停止が確立した条件でのみ動作することとし、一回のシステムの動作範囲はフィルター全体の一部とするとともに、動作毎にクリーニング位置を変更していくことで空気調和の基本性能を損なうことなくフィルタークリーニングを行うことができる。
【００１６】
第３の発明は、フィルター全面のクリーニングを終了した時点で検知累積した一酸化炭素量をリセットすることで過度なクリーニング動作を回避することができる。
【００１７】
（実施の形態１）
図１は本発明の実施の形態１におけるオートクリーニングシステムの概略図である。本実施の形態では、一酸化炭素を検知するガスセンサとその検知結果によりオートクリーニングシステムを制御する電子制御装置により構成されている。
【００１８】
ガスセンサは一酸化炭素や二酸化炭素に反応するものであるが、このことは反応量が多いほどその部屋における人の活動量が多い、つまり空気中のほこり量が相対的に増加していることが推測できる。
【００１９】
さらに、空気調和機の設置された部屋において喫煙が行われると、一酸化炭素や二酸化炭素濃度が増加することが知られている。
【００２０】
また、たばこ煙中の成分としてタール等粘着性の物質が含有されていることも知られて
いる。このことは喫煙が多量に行われた場合や長時間継続した場合は、相対的に粘着成分を含んだガス濃度が上昇することになる。この粘着成分は空気中のほこりとともに、空気調和機による空気循環によりフィルターに吸着されるが、吸着されたほこりはその粘着成分により固化される。このことは、オートクリーニングシステムによるほこり排出が困難になり、さらに固化したほこりが排出されずシステムの機構内に落下・引っかかる可能性があり、オートクリーニングシステムを機構的に動作不具合を起こすことになる。
【００２１】
そこで本発明では、第２図に示すフローチャートのように、ガスセンサにより一酸化炭素を検知しさらに時間累積し、一定の累積量になった時点で、空気調和機が動作中であってもオートクリーニングを強制的に動作させる制御を通常の動作条件に追加した。このことにより、部屋の空気中のほこり量が増加、つまりエアフィルターに付着するほこりが増加し、またたばこ中に含まれる粘着成分によりほこりの固化が進行しないうちにフィルターのほこりを排出することができ、上記した排出不可能な状態や落下したほこりによる機構不具合に至ることはないといった効果を得ることができる。
【００２２】
（実施の形態２）
図３は本発明の実施の形態２におけるオートクリーニングシステムの動作フローチャートである。
【００２３】
実施の形態１では、空気調和機の動作の有無にかかわらず一酸化炭素の累積量によりオートクリーニング動作を開始するため、空気調和機の基本機能である冷房・暖房といった動作中にもクリーニングすることになり、このことは空気調和機の基本機能を損なうことになるといった課題がある。
【００２４】
本発明では、ガスセンサによる一酸化炭素の累積条件に空気調和機の停止またはサーモオフ条件の両方が確立したときにオートクリーニング動作を行う構成とした。
【００２５】
このことにより、オートクリーニング動作は必ず空気調和機の基本機能停止状態でのみ動作することになり、上記不具合を発生することがない。
【００２６】
（実施の形態３）
図４は本発明の実施の形態３におけるオートクリーニングシステムの動作フローチャートである。図４において、エアフィルター全面のクリーニングが終了した時点で累積された一酸化炭素量をキャンセルする構成とした。
【００２７】
このことにより過剰にオートクリーニングシステムを動作させること防止し、システムの長寿命化、オートクリーニングシステムの過剰動作による騒音、空気調和機の機能停止期間拡大による空調フィーリングの低下を防止することができる。
【産業上の利用可能性】
【００２８】
本発明にかかる空気調和機は二酸化炭素を検出するＣＯ２センサその他空気中の汚れを検出するセンサによる検知結果でも適用でき、また、空気調和機以外の空調機のオートクリーニングシステムにも適用できる。
【図面の簡単な説明】
【００２９】
【図１】本発明の実施の形態１におけるオートクリーニングシステムの概略図
【図２】本発明の実施の形態１における動作フロ−チャート
【図３】本発明の実施の形態２における動作フローチャート
【図４】本発明の実施の形態３における動作フローチャート
【図５】従来のオートクリーニングシステムの概略図
【図６】従来技術における動作フローチャート
【符号の説明】
【００３０】
１  エアフィルター部
２，５  表示装置
３  ノズル部
４  排出ホース部
【図１】
2006336881.tif 000003
【図２】
2006336881.tif 000004
【図３】
2006336881.tif 000005
【図４】
2006336881.tif 000006
【図５】
2006336881.tif 000007
【図６】
2006336881.tif 000008